(57)【特許請求の範囲】
【請求項１】
放送局から送信されてきた放送波を受信する受信手段と、
前記受信手段により受信された放送波の視聴処理を行う視聴手段と、
タイマを用いて、予め設定された予約視聴時刻または予約録画時刻に、前記視聴手段を起動するための起動要求を生成する生成手段と、
前記生成手段により生成された前記起動要求に基づいて、前記視聴手段を起動する予約視聴起動手段と、
前記視聴手段による予約視聴処理にて用いられる予約視聴用音量値と周囲音とが予め対応付けられ、前記予約視聴用音量値が対応する前記周囲音より大きい値として登録されたテーブルを記憶する記憶手段と、
周囲音を集音する集音手段と、
前記集音手段により集音された前記周囲音に対応する音声信号に基づいて、前記テーブルを参照して、予約視聴処理時に用いられる予約視聴用音量値を決定する決定手段とを備え、
前記予約視聴起動手段による起動である場合、前記決定手段は、前記予約視聴用音量値を決定し、前記視聴手段は、前記決定手段により決定された前記予約視聴用音量値を用いて前記放送波の視聴処理を行うことを特徴とする情報処理装置。
【請求項２】
視聴起動操作に従った視聴処理である場合、前記視聴手段は、前記記憶手段により記憶されている、直前の視聴処理にて用いられた音量値を用いて前記放送波の視聴処理を行うことを特徴とする請求項１に記載の情報処理装置。
【請求項３】
前記情報処理装置の周囲の光量を取得する取得手段をさらに備え、
前記決定手段は、前記取得手段により取得された前記情報処理装置の周囲の光量に対応する電気信号に基づいて、前記情報処理装置の周囲の光量と予約視聴用音量値とが予め対応付けられたテーブルを参照して、予約視聴処理時に用いられる予約視聴用音量値を決定することを特徴とする請求項１に記載の情報処理装置。
【発明の詳細な説明】
【技術分野】
【０００１】
本発明は情報処理装置に係り、特に、地上波ディジタル放送波を受信することができるようにした情報処理装置に関する。
【背景技術】
【０００２】
近年、情報処理装置としての携帯電話機には、単なる通話による通信機能だけでなく、アドレス帳機能、基地局やインターネットなどのネットワークを介したメール機能や、Ｗｅｂページなどを閲覧することが可能なブラウザ機能だけでなく、オーディオデータを聞くことができる音楽制御機能（音楽プレイヤ機能）や、地上波ディジタルワンセグ放送波、地上波ディジタルラジオ放送波、およびＦＭラジオ放送波を受信することができる機能などのマルチメディア機能が搭載されるようになってきている。
【０００３】
特に、地上波ディジタルワンセグ放送波を受信する場合、最近、予め設定された予約録画時刻になると、自動的に所望のチャネルの放送番組を予約録画する技術も提案されてきている。この地上波ディジタルワンセグ放送波の予約録画に関連する技術として、例えば予約された番組を記録する際の受信音声によりユーザや周囲に与える不快感を低減し、無駄な消費電力の低減を図る技術が提案されている（例えば特許文献１参照）。
【０００４】
この予約録画と同じような発想ではあるが、予め設定された予約起動時刻になると、自動的に所望のチャネルの放送番組を予約起動する技術も知られている。
【特許文献１】特開２００７−３６６１６号公報
【発明の開示】
【発明が解決しようとする課題】
【０００５】
地上波ディジタルワンセグ放送波を受信してユーザが視聴したり録画したりする場合、一般に、直前に行われた視聴や録画の際のテレビ音量を記憶部（メモリ）に記憶しておき、再度、地上波ディジタルワンセグ放送波に関するアプリケーションプログラムが起動されたとき、記憶されているテレビ音量でスピーカから音声鳴動する。しかしながら、地上波ディジタルワンセグ放送波を予約起動する場合には、直前に行われた視聴や録画の際のテレビ音量が小さいと、予約起動時刻にせっかく予約起動したとしても、起動に伴ってスピーカから出力されるテレビ音量が小さいために、ユーザが予約起動されたことに気が付かない場合も考えられる。このような場合、ユーザは、放送番組時間中に予約起動されたことにまったく気が付かないと、放送番組全体について見逃してしまうだけでなく、たとえ放送番組の途中で気が付いたとしても、それまでに放送されてしまった番組部分を見逃してしまうという課題があった。
【０００６】
本発明は、このような状況に鑑みてなされたものであり、地上波ディジタル放送波の予約起動がなされたことをユーザに気が付かせるとともに、予約起動による放送番組の視聴漏れを防止することができる情報処理装置を提供することを目的とする。
【課題を解決するための手段】
【０００７】
本発明の情報処理装置は、上述した課題を解決するために、放送局から送信されてきた放送波を受信する受信手段と、前記受信手段により受信された放送波の視聴処理を行う視聴手段と、タイマを用いて、予め設定された予約視聴時刻または予約録画時刻に、前記視聴手段を起動するための起動要求を生成する生成手段と、前記生成手段により生成された前記起動要求に基づいて、前記視聴手段を起動する予約視聴起動手段と、前記視聴手段による予約視聴処理にて用いられる予約視聴用音量値と周囲音とが予め対応付けられ、前記予約視聴用音量値が対応する前記周囲音より大きい値として登録されたテーブルを記憶する記憶手段と、周囲音を集音する集音手段と、前記集音手段により集音された前記周囲音に対応する音声信号に基づいて、前記テーブルを参照して、予約視聴処理時に用いられる予約視聴用音量値を決定する決定手段とを備え、前記予約視聴起動手段による起動である場合、前記決定手段は、前記予約視聴用音量値を決定し、前記視聴手段は、前記決定手段により決定された前記予約視聴用音量値を用いて前記放送波の視聴処理を行うことを特徴とする。
【発明の効果】
【０００８】
本発明によれば、地上波ディジタル放送波の予約起動がなされたことをユーザに気が付かせるとともに、予約起動による放送番組の視聴漏れを防止することができる。
【発明を実施するための最良の形態】
【０００９】
以下、本発明の実施の形態について、図面を参照しながら説明する。
【００１０】
図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１１】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１２】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１３】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１４】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１５】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１６】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００１７】
なお、第１の筐体１２は、背面側に図示しないバッテリパックが挿着されており、終話・電源キーがオン状態になると、バッテリパックから各回路部に対して電力が供給されて動作可能な状態に起動する。
【００１８】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）が設けられており、これにより、ユーザは音声通話することが可能である。なお、携帯電話機１の所定の位置には、レシーバ１８以外の音声出力部としてのスピーカ（図３のスピーカ５０）も設けられている。
【００１９】
また、第１の筐体１２と第２の筐体１３の内部の所定の位置には、携帯電話機１の状態を検知するための磁気センサ１９a、１９b、１９c、および１９dが設けられる。
【００２０】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２１】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２２】
サブディスプレイ２１の下部には、さらに、静電タッチパッド２２が設けられる。静電タッチパッド２２は、見かけ上一枚のタッチパッドになっているが、図示せぬセンサが複数個所に設けられており、ユーザがセンサの付近をタッチすると、センサがそれを検知し、巻戻し機能、早送り機能、音量ダウン動作、音量アップ動作、再生動作、および一時停止動作などが実行される。
【００２３】
図３は、本発明に係る情報処理装置に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２４】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２５】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２６】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２７】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００２８】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００２９】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３０】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３１】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３２】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の時刻を測定する時計回路（タイマ）４９が設けられている。
【００３３】
また、地上波ディジタルワンセグ受信部４７は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Transport Stream）信号を地デジ処理部４８に供給する。地デジ処理部４８は、地上波ディジタルワンセグ受信部４７にて地上波ディジタルワンセグ放送波が受信された場合、地上波ディジタルワンセグ受信部４７からの地上波ディジタルワンセグ放送波に基づくＴＳ信号から、音声データと映像データに関するＥＳ（Elementary Stream）にそれぞれ分離し、分離された音声データを地デジ処理部４８内の音声デコーダ（図示せず）にて所定の復号化方式でデコードするとともに、分離された映像データを地デジ処理部４８内の映像デコーダ（図示せず）にて所定の復号化方式でデコードし、デコード後の音声信号と映像信号を制御部４１に供給する。
【００３４】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３５】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３６】
電源回路４４は、バッテリ４３の出力を基に所定の動作電源電圧Ｖｃｃを生成して各回路部に供給する。
【００３７】
［第１実施形態］
図４は、本発明の第１実施形態における、図３の制御部４１により実行することができる機能的な構成を表している。なお、図３の構成と対応するものについては、同一の符号を付しており、その説明は繰り返しになるので省略する。
【００３８】
予約視聴録画起動要求生成部５１は、時計回路４９を用いて、ユーザにより操作キー１４が操作されることで予め設定された予約視聴時刻または予約録画時刻に、視聴録画処理部５４を起動するための起動要求を生成し、生成された起動要求を予約視聴録画起動部５２に供給する。
【００３９】
予約視聴録画起動部５２は、予約視聴録画起動要求生成部５１から供給された起動要求（予め設定された予約視聴時刻または予約録画時刻に視聴録画処理部５４を起動するための起動要求）に基づいて、予め設定された予約視聴時刻または予約録画時刻に視聴録画処理部５４を起動するための起動指示信号を生成し、生成された起動指示信号を視聴録画処理部５４に供給し、予め設定された予約視聴時刻または予約録画時刻に視聴録画処理部５４を起動させる。また、予約視聴録画起動部５２は、生成された起動指示信号を視聴録画起動要因判定部５３に供給する。
【００４０】
視聴録画起動要因判定部５３は、予約視聴録画起動部５２から供給された起動指示信号に基づいて、視聴録画処理部５４の起動要因が予約視聴録画起動部５２による起動に起因するか否かを判定し、その判定結果を視聴録画処理部５４に供給する。
【００４１】
視聴録画処理部５４は、予約視聴録画起動部５２から供給された起動指示信号に従い、予め設定された予約視聴時刻または予約録画時刻に視聴録画処理を起動するとともに、視聴録画起動要因判定部５３からの判定結果に従い、視聴録画処理部５４の起動要因が予約視聴録画起動部５３による起動に起因すると判定された場合、記憶部４２または制御部４１の図示せぬＲＯＭに記憶されている、予め設定された予約視聴録画用音量値を用いて、地上波ディジタルワンセグ受信部４７にて受信された放送波の視聴録画処理を行う。一方、視聴録画処理部５４は、視聴録画処理部５４の起動要因が予約視聴録画起動部５３による起動に起因しないと判定された場合、記憶部４２により記憶されている、視聴録画処理部５４による直前の視聴録画処理にて用いられた音量値を用いて、地上波ディジタルワンセグ受信部４７にて受信された放送波の視聴録画処理を行う。
【００４２】
操作入力制御部５５は、ユーザにより操作キー１４が操作されることにより、種々のデータや指示の入力などを受け付ける。予約視聴録画用音量値設定部５６は、操作入力制御部５５にて入力が受け付けられた予約視聴録画用音量値の設定指示に基づいて、予約視聴録画処理に用いられる予約視聴録画用音量値を設定し、予約視聴録画用音量値に関する設定データを記憶部４２に供給する。
【００４３】
次に、図５のフローチャートを参照して、図４の携帯電話機１における予約視聴録画処理について説明する。なお、この予約視聴録画処理は、ユーザにより操作キー１４が操作されることで、地上波ディジタルワンセグ受信部４７を起動して予約視聴録画処理を行うように予め設定された予約視聴時刻または予約録画時刻になることにより、開始される。
【００４４】
ステップＳ１において、予約視聴録画起動要求生成部５１は、時計回路４９を用いて、ユーザにより操作キー１４が操作されることで予め設定された予約視聴時刻または予約録画時刻（例えば２００７年１２月１５日１９時００分など）に、視聴録画処理部５４を起動するための起動要求を生成し、生成された起動要求を予約視聴録画起動部５２に供給する。なお、携帯電話機１の実装によっては、予約視聴時刻または予約録画時刻の数分前（例えば１、２分前）などから視聴処理や録画開始する場合もあり、このような場合にも本発明をすることができ、「予約視聴時刻または予約録画時刻」にはその時刻のみならず、ある程度の時間幅を有する概念であるものとする。
【００４５】
ステップＳ２において、予約視聴録画起動部５２は、予約視聴録画起動要求生成部５１から供給された起動要求（予め設定された予約視聴時刻または予約録画時刻に視聴録画処理部５４を起動するための起動要求）に基づいて、予め設定された予約視聴時刻または予約録画時刻に視聴録画処理部５４を起動するための起動指示信号を生成する。
【００４６】
ステップＳ３において、予約視聴録画起動部５２は、生成された起動指示信号を視聴録画処理部５４に供給し、予め設定された予約視聴時刻または予約録画時刻に視聴録画処理部５４を起動させる。すなわち、このとき、視聴録画処理部５４は、予約視聴録画起動部５２からの起動指示信号に基づいて視聴録画処理（視聴処理または録画処理）を起動し、地上波ディジタルワンセグ受信部４７および地デジ処理部４８を起動する。
【００４７】
また、予約視聴録画起動部５２は、生成された起動指示信号を視聴録画起動要因判定部５３に供給する。
【００４８】
ステップＳ４において、視聴録画起動要因判定部５３は、予約視聴録画起動部５２から供給された起動指示信号に基づいて、視聴録画処理部５４の起動要因が予約視聴録画起動部５２による起動に起因するか否かを判定する。すなわち、視聴録画起動要因判定部５３は、ユーザにより操作キー１４のうちの地上波ディジタルワンセグ受信部４７を起動させるための起動ボタンなどが押下されることで、地上波ディジタルワンセグ放送波の受信を開始するとの指示がなされた場合、予約視聴録画起動部５２から起動指示信号は供給されず、視聴録画処理部５４の起動要因が予約視聴録画起動部５２による起動に起因しないと判定する。一方、視聴録画起動要因判定部５３は、予約視聴録画起動部５２から起動指示信号が供給され、この起動指示信号に基づいて、視聴録画処理部５４の起動要因が予約視聴録画起動部５２による起動に起因すると判定する。そして、視聴録画起動要因判定部５３は、その判定結果を視聴録画処理部５４に供給する。
【００４９】
なお、本発明の実施形態においては、ステップＳ４の処理は予約視聴録画処理スタート後に行うようにしたが、予約視聴録画処理の前に行うようにしてもよい。
【００５０】
ステップＳ４において視聴録画起動要因判定部５３が視聴録画処理部５４の起動要因が予約視聴録画起動部５２による起動に起因すると判定した場合、視聴録画処理部５４はステップＳ５で、予約視聴録画起動部５２から供給された起動指示信号に従い、予め設定された予約視聴時刻または予約録画時刻に視聴録画処理を起動するとともに、視聴録画起動要因判定部５３からの判定結果に従い、記憶部４２または制御部４１の図示せぬＲＯＭに記憶されている、予め設定された予約視聴録画用音量値を用いて、地上波ディジタルワンセグ受信部４７にて受信された放送波の視聴録画処理をメインディスプレイ１７およびスピーカ５０を介して行う。
【００５１】
例えば予約視聴録画処理時に用いられるスピーカ５０の予約視聴録画用音量値は、２１段階に設定可能な音量値であれば、デフォルトの値として１５段階目の音量値が予め設定される。勿論、ユーザが好みに応じてこの予約視聴録画用音量値（例えば２１段階中の１２段階目などの音量値など）を変更するようにしてもよい。これにより、視聴録画処理部５４は、予約視聴録画処理時（予約視聴処理時と予約録画処理時）に、予め設定された予約視聴時刻または予約録画時刻に視聴録画処理（視聴処理と録画処理）を起動するとともに、予め設定された予約視聴録画用音量値（例えば２１段階中の１５段階目の音量値）を用いて、地上波ディジタルワンセグ受信部４７にて受信された放送波の視聴録画処理（視聴処理と録画処理）をメインディスプレイ１７およびスピーカ５０を介して行い、スピーカ５０から予め設定された予約視聴録画用音量値にて音声信号に基づく音声を出力（音声鳴動）させる。なお、予約録画処理の場合には、地上波ディジタルワンセグ受信部４７にて受信された放送波の録画処理がメインディスプレイ１７およびスピーカ５０を介して行われるが、このとき同時に、受信された放送波が記憶部４２に記憶される。
【００５２】
一方、ステップＳ４において視聴録画起動要因判定部５３が視聴録画処理部５４の起動要因が予約視聴録画起動部５２による起動に起因しないと判定した場合（すなわち、視聴録画起動要因判定部５３が予約視聴録画の起動ではないと判定した場合）、視聴録画処理部５４はステップＳ６で、記憶部４２に記憶されている、視聴録画処理部５４による直前の視聴録画処理にて用いられた音量値を記憶部４２から読み出し、読み出された視聴録画処理部５４による直前の視聴録画処理にて用いられた音量値を用いて、地上波ディジタルワンセグ受信部４７にて受信された放送波の視聴録画処理をメインディスプレイ１７およびスピーカ５０を介して行う。
【００５３】
例えば視聴録画処理部５４による直前の視聴録画処理にて、例えば２１段階中の４段階目の音量値が用いられていた場合、視聴録画処理部５４は、視聴録画処理部５４による直前の視聴録画処理（視聴処理と録画処理）にて用いられた音量値（例えば２１段階中の４段階目の音量値）を用いて、地上波ディジタルワンセグ受信部４７にて受信された放送波の視聴録画処理（視聴処理と録画処理）を行い、スピーカ５０から直前の視聴録画処理にて用いられた音量値にて音声信号に基づく音声を出力（音声鳴動）させる。
【００５４】
本発明の実施形態においては、図示せぬ放送局から送信されてきた地上波ディジタルワンセグ放送波を受信し、受信された地上波ディジタルワンセグ放送波の視聴録画処理を行い、タイマ（時計回路４９）を用いて、予め設定された予約視聴時刻または予約録画時刻に、視聴録画処理部５４を起動するための起動要求を生成し、生成された起動要求に基づいて、予め設定された予約視聴時刻または予約録画時刻に視聴録画処理部５４を予約視聴録画起動し、視聴録画処理部５４の起動要因が予約視聴録画起動部５２による起動に起因するか否かを判定し、視聴録画処理部５４の起動要因が予約視聴録画起動部５２による起動に起因すると判定された場合、視聴録画処理部５４は、予め設定された予約視聴録画用音量値を用いて地上波ディジタルワンセグ放送波の視聴録画処理を行うことができる。
【００５５】
一方、視聴録画処理部５４の起動要因が予約視聴録画起動部５２による起動に起因していないと判定された場合、視聴録画処理部５４は、記憶部４２により記憶されている音量値を用いて地上波ディジタルワンセグ放送波の視聴録画処理を行うことができる。
【００５６】
これにより、地上波ディジタルワンセグ放送波を予約起動する場合に、予め設定された予約視聴録画用音量値を用いて地上波ディジタルワンセグ放送波の視聴録画処理を行うことができ、直前に行われた視聴や録画の際のテレビ音量が小さいために、予約起動時刻にせっかく予約起動したとしても、起動に伴ってスピーカ５０から出力されるテレビ音量が小さく、ユーザが予約起動されたことに気が付かないという状況を回避することができる。従って、ユーザが放送番組全体または一部について見逃してしまうことを防止することができ、地上波ディジタル放送波の予約起動がなされたことをユーザに気が付かせるとともに、予約起動による放送番組の視聴漏れを防止することができる。その結果、地上波ディジタルワンセグ放送波などを利用する場合における利便性を向上させることができる。
【００５７】
なお、本発明の実施形態においては、予約視聴処理と予約録画処理を分けて記載するようにしたが、請求項に用いる「予約視聴」には、予約録画の意味も含むものとする。従って、「予約視聴処理」とは、予約録画の設定により、予約録画開始時刻に自動的に地上波ディジタルワンセグ受信部４７を起動し、録画とともにメインディスプレイ１７により表示する場合も含むものである。
【００５８】
なお、図５のフローチャートを用いて説明した予約視聴録画処理においては、視聴録画起動要因判定部５３が視聴録画処理部５４の起動要因が予約視聴録画起動部５２による起動に起因すると判定した場合、予約視聴であるか、または予約録画であるかに関係なく、予め設定された予約視聴録画用音量値を用いて、地上波ディジタルワンセグ受信部４７にて受信された放送波の視聴録画処理をメインディスプレイ１７およびスピーカ５０を介して行うようにしたが、予約録画の場合には受信された放送波は記憶部４２に記憶されることから、ユーザが格別に放送番組の開始に感知しなくとも問題がないことが多い。そこで、予約視聴である場合には、予め設定された予約視聴用音量値を用いて、地上波ディジタルワンセグ受信部４７にて受信された放送波の視聴処理をメインディスプレイ１７およびスピーカ５０を介して行う一方、予約録画である場合には、予め設定された予約視聴用音量値とは異なる予約録画用音量値（予約視聴用音量値よりも低い音量値）を用いて、地上波ディジタルワンセグ受信部４７にて受信された放送波の視聴処理をメインディスプレイ１７およびスピーカ５０を介して行うようにしてもよいし、ミュート（消音）するようにしてもよい。この方法を用いた予約視聴録画処理は、図６のフローチャートに示される。なお、図６のステップＳ１１乃至１４、およびステップＳ１８の処理は、図５のステップＳ１乃至Ｓ４、およびステップＳ６の処理と同様であり、その説明は繰り返しになるので省略する。
【００５９】
図６のフローチャートに示されるように、ステップＳ１４において視聴録画起動要因判定部５３が視聴録画処理部５４の起動要因が予約視聴録画起動部５２による起動に起因すると判定した場合、視聴録画処理５４はステップＳ１５で、予約視聴録画起動部５２からの起動指示信号に基づいて予約視聴処理であるか、または予約録画処理であるか否かを判定する。ステップＳ１５において視聴録画処理５４が予約録画処理であると判定した場合、視聴録画処理部５４はステップＳ１６で、予め設定された予約視聴用音量値（例えば２１段階中の１５段階目の音量値）を用いて、地上波ディジタルワンセグ受信部４７にて受信された放送波の視聴処理をメインディスプレイ１７およびスピーカ５０を介して行う。
【００６０】
一方、ステップＳ１５において視聴録画処理部５４が予約録画処理であると判定した場合、視聴録画処理部５４はステップＳ１７で、ミュート（消音）にして、地上波ディジタルワンセグ受信部４７にて受信された放送波の録画処理をメインディスプレイ１７およびスピーカ５０を介して行う。なお、ミュートではなく、予め設定された予約視聴用音量値とは異なる予約録画用音量値（予約視聴用音量値よりも低い音量値）を用いて、放送波の録画処理をメインディスプレイ１７およびスピーカ５０を介して行うようにしてもよい。
【００６１】
これにより、ユーザが放送番組全体または一部について見逃してしまうことを防止することができ、特に予約視聴時に、地上波ディジタル放送波の予約起動がなされたことをユーザに気が付かせるとともに、予約起動による放送番組の視聴漏れを防止することができる。一方、予約録画時においては、その結果、地上波ディジタルワンセグ放送波などを利用する場合における利便性をより向上させることができる。
【００６２】
なお、ユーザの好みに応じて、予約視聴録画用音量値を適宜設定するようにしてもよい。図７のフローチャートに示されるように、ステップＳ３１において、制御部４１の操作入力制御部５５は、ユーザにより操作キー１４が操作されることで、予約視聴録画用音量値設定処理を開始するとの指示が受け付けられたか否かを判定し、予約視聴録画用音量値設定処理を開始するとの指示が受け付けられたと判定するまで待機する。ステップＳ３１において操作入力制御部５５が予約視聴録画用音量値設定処理を開始するとの指示が受け付けられたと判定した場合、制御部４１はステップＳ３２で、メインディスプレイ１７を制御し、予約視聴録画用音量値を設定するための予約視聴録画用音量値設定画面をメインディスプレイ１７に表示させる。
【００６３】
ステップＳ３３において、操作入力制御部５５は、ユーザにより操作キー１４が操作されることにより、メインディスプレイ１７に表示されている予約視聴録画用音量値設定画面上にて、予約視聴録画用音量値の設定指示を受け付ける。例えば予約視聴録画用音量値設定画面上に表示されている音量値のステータスバーを用いて、２１段階中の１５段階目などに設定するとの設定指示が受け付けられる。ステップＳ３４において、予約視聴録画用音量値設定部５６は、操作入力制御部５５にて入力が受け付けられた予約視聴録画用音量値の設定指示に基づいて、予約視聴録画処理に用いられる予約視聴録画用音量値を設定し、予約視聴録画用音量値に関する設定データを記憶部４２に供給する。ステップＳ３５において、制御部４１は、記憶部４２に、予約視聴録画用音量値に関する設定データを記憶させる。これにより、ユーザの好みに応じて、予約視聴録画用音量値が設定される。勿論、適宜、予約視聴録画用音量値を変更するようにしてもよい。
【００６４】
なお、本発明の第１実施形態においては、予約視聴録画処理時に、予め設定された予約視聴録画用音量値を用いて放送波の視聴録画処理を実行するようにしたが、携帯電話機１の周囲の雑音や環境に応じて予約視聴録画用音量値を決定し、決定された予約視聴録画用音量値を用いるようにしてもよい。以下、本発明の第２実施形態について説明する。
【００６５】
［第２実施形態］
図８は、本発明の第２実施形態における、図３の制御部４１により実行することができる機能的な構成を表している。なお、図４の構成と対応するものについては、同一の符号を付しており、その説明は繰り返しになるので省略する。
【００６６】
予約視聴録画用音量値決定部５７は、記憶部４２に記憶されている予約視聴録画用音量値決定テーブルを記憶部４２から読み出し、読み出された予約視聴録画用音量値決定テーブルを参照して、マイクロフォン１５により集音された携帯電話機１の周囲の雑音のレベル、あるいは、例えばＣＣＤカメラ２０により取得された携帯電話機１の周囲の光量レベルに基づいて、予約視聴録画処理時に用いられる予約視聴録画用音量値を決定する。予約視聴録画用音量値決定部５７は、決定された予約視聴録画用音量値に関する決定データを視聴録画処理部５４に供給する。
【００６７】
次に、図９のフローチャートを参照して、図８の携帯電話機１における予約視聴録画処理について説明する。なお、図９のステップＳ４１乃至Ｓ４４、およびステップＳ４８の処理は、図５のステップＳ１乃至Ｓ４、およびステップＳ６の処理と同様であり、その説明は繰り返しになるので省略する。
【００６８】
ステップＳ４４において視聴録画起動要因判定部５３が視聴録画処理部５４の起動要因が予約視聴録画起動部５２による起動に起因すると判定した場合、マイクロフォン１５はステップＳ４５で、制御部４１の制御に従い、携帯電話機１の周囲の雑音レベルを集音し、集音された雑音レベルに対応する音声信号をＰＣＭコーデック３８などを介して制御部４１の予約視聴録画用音量値決定部５７に供給する。
【００６９】
ステップＳ４６において、予約視聴録画用音量値決定部５７は、マイクロフォン１５から供給された音声信号（雑音レベルに対応する音声信号）を取得すると、記憶部４２に予め記憶されている予約視聴録画用音量値決定テーブルを読み出す。
【００７０】
図１０は、記憶部４２に記憶されている予約視聴録画用音量値決定テーブルの構成例を表している。例えば図１０に示されるように、携帯電話機１の周囲の雑音レベルの大小（レベル１乃至４）に応じて、予約視聴録画用音量値が２１段階中１０段階目、１４段階目、１６段階目、および１８段階目の音量値が予め対応付けられて登録されている。なお、携帯電話機１の周囲の雑音レベルが大きければ大きいほど、予約視聴録画用音量値は高めに登録されている。
【００７１】
予約視聴録画用音量値決定部５７は、読み出された予約視聴録画用音量値決定テーブルを参照して、マイクロフォン１５により集音された携帯電話機１の周囲の雑音のレベルに基づいて、予約視聴録画処理時に用いられる予約視聴録画用音量値を決定する。例えば図１１の場合、マイクロフォン１５にて集音された携帯電話機１の周囲の雑音レベルがレベル３であるとき、予約視聴録画処理時に用いられる予約視聴録画用音量値として「２１段階中の１６段階目の音量値」が予約視聴録画用音量値決定部５７によって決定される。予約視聴録画用音量値決定部５７は、決定された予約視聴録画用音量値に関する決定データを視聴録画処理部５４に供給する。
【００７２】
ステップＳ４７において、視聴録画処理部５４は、予約視聴録画起動部５２から供給された起動指示信号に従い、予め設定された予約視聴時刻または予約録画時刻に視聴録画処理を起動するとともに、視聴録画起動要因判定部５３からの判定結果に従い、予約視聴録画用音量値決定部５７によって決定された予約視聴録画用音量値（例えば２１段階中の１６段階目の音量値）を用いて、地上波ディジタルワンセグ受信部４７にて受信された放送波の視聴録画処理をメインディスプレイ１７およびスピーカ５０を介して行う。
【００７３】
これにより、地上波ディジタルワンセグ放送波を予約起動する場合に、マイクロフォン１５を用いて予約視聴録画用音量値決定部５７により決定された予約視聴録画用音量値を用いて、地上波ディジタルワンセグ放送波の視聴録画処理を行うことができ、携帯電話機１の周囲の雑音状況に応じて好適な音量値でスピーカ５０から音声を出力しつつ、直前に行われた視聴や録画の際のテレビ音量が小さいために、予約起動時刻にせっかく予約起動したとしても、起動に伴ってスピーカ５０から出力されるテレビ音量が小さく、ユーザが予約起動されたことに気が付かないという状況を回避することができる。従って、地上波ディジタルワンセグ放送波などを利用する場合における利便性をより向上させることができる。
【００７４】
なお、マイクロフォン１５により携帯電話機１の周囲の雑音レベルを集音することで、予約視聴録画処理に用いられる予約視聴録画用音量値を決定するようにしてもよいが、携帯電話機１の周囲の雑音レベルと、携帯電話機１の周囲の光量レベルと間には相関関係があることから、例えばＣＣＤカメラ２０により取得された携帯電話機１の周囲の光量レベルに基づいて、予約視聴録画処理時に用いられる予約視聴録画用音量値を決定するようにしてもよい。この方法を用いた予約視聴録画処理については、図１１のフローチャートに示される。このとき、ＣＣＤカメラ２０の場合においても、図１０に示されるような予約視聴録画用音量値決定テーブルが同様に用いられる。
【００７５】
ステップＳ５４において、視聴録画起動要因判定部５３が視聴録画処理部５４の起動要因が予約視聴録画起動部５２による起動に起因すると判定した場合、ＣＣＤカメラ２０はステップＳ５５で、制御部４１の制御に従い、携帯電話機１の周囲の光量レベルを取得し、取得された光量レベルに対応する画像信号（電気信号）を制御部４１の予約視聴録画用音量値決定部５７に供給する。ステップＳ５６において、予約視聴録画用音量値決定部５７は、ＣＣＤカメラ２０から供給された光量レベルに対応する画像信号（電気信号）を取得すると、記憶部４２に予め記憶されている予約視聴録画用音量値決定テーブルを読み出す。予約視聴録画用音量値決定部５７は、読み出された予約視聴録画用音量値決定テーブルを参照して、ＣＣＤカメラ２０から供給された光量レベルに対応する画像信号（電気信号）に基づいて、予約視聴録画処理時に用いられる予約視聴録画用音量値を決定する。
【００７６】
これにより、マイクロフォン１５を用いた場合と同様に、地上波ディジタルワンセグ放送波を予約起動する場合に、マイクロフォン１５を用いて予約視聴録画用音量値決定部５７により決定された予約視聴録画用音量値を用いて、地上波ディジタルワンセグ放送波の視聴録画処理を行うことができ、携帯電話機１の周囲の雑音状況に応じて好適な音量値でスピーカ５０から音声を出力しつつ、直前に行われた視聴や録画の際のテレビ音量が小さいために、予約起動時刻にせっかく予約起動したとしても、起動に伴ってスピーカ５０から出力されるテレビ音量が小さく、ユーザが予約起動されたことに気が付かないという状況を回避することができる。
【００７７】
なお、マイクロフォン１５による雑音レベルの集音と、ＣＣＤカメラ２０による光量レベルの取得を組み合わせて、予約視聴録画処理時に用いられる予約視聴録画用音量値を決定するようにしてもよい。勿論、ＣＣＤカメラ２０以外にも、光センサなどを用いて携帯電話機１の周囲の光量レベルを取得するようにしてもよい。
【００７８】
とろこで、図５のステップＳ５や図６のステップ１６などにおいては、視聴録画処理部５４は、予約視聴録画起動部５２から供給された起動指示信号に従い、予め設定された予約視聴時刻または予約録画時刻に視聴録画処理を起動するとともに、視聴録画起動要因判定部５３からの判定結果に従い、記憶部４２または制御部４１の図示せぬＲＯＭに記憶されている、予め設定された１つの予約視聴録画用音量値を用いて、地上波ディジタルワンセグ受信部４７にて受信された放送波の視聴録画処理をメインディスプレイ１７およびスピーカ５０を介して行うようにしているが、このような場合に限られず、例えば予約視聴録画処理時に用いられる予約視聴録画用音量値を一定時間（例えば２、３秒間など）ごとに段階的に上げるようにしてもよい。例えば図１２のステップＳ６５に示されるように、視聴録画処理部５４は、予約視聴録画起動部５２から供給された起動指示信号に従い、予め設定された予約視聴時刻または予約録画時刻に視聴録画処理を起動するとともに、視聴録画起動要因判定部５３からの判定結果に従い、記憶部４２または制御部４１の図示せぬＲＯＭに記憶されている、予め設定された１つの予約視聴録画用音量値を用いて、図１３のテーブルに示されるように、予約起動開始時から一定時間（例えば２、３秒間）ごとに音量値を段階的に上げつつ、地上波ディジタルワンセグ受信部４７にて受信された放送波の視聴録画処理をメインディスプレイ１７およびスピーカ５０を介して行う。図１４のテーブルの場合、ステップ１乃至６までの間に、予約視聴録画用音量値は例えば２１段階中の１１段階目の音量値から逐次、２１段階目の音量値まで上げられる。勿論、段階的に予約視聴録画用音量値を上昇させる際、２１段階中の２１段階目の最大値まで上昇させるのではなく、途中の１５段階目などで上昇を停止するようにしてもよい。
【００７９】
これにより、特殊なハードウェアのサポート無しに、携帯電話機１の周囲の雑音状況などに応じて順次好適な音量値でスピーカ５０から音声を出力しつつ、直前に行われた視聴や録画の際のテレビ音量が小さいために、予約起動時刻にせっかく予約起動したとしても、起動に伴ってスピーカ５０から出力されるテレビ音量が小さく、ユーザが予約起動されたことに気が付かないという状況を回避することができる。その結果、携帯電話機１の周囲の環境を考慮しつつ、地上波ディジタルワンセグ放送波などを利用する場合における利便性をより向上させることができる。
【００８０】
ところで、予約視聴録画処理時において携帯電話機１の筐体の状態によって、予約視聴録画処理時に用いられる予約視聴録画用音量値を異なる値にするようにしてもよい。すなわち、図１および図２に示される携帯電話機１は２軸回転式の携帯電話機であり、図１４に示されるように、図１の携帯電話機１の状態から矢印Ｙ方向に９０度首振り回動させることが可能である。なお、図１４（Ａ）は、携帯電話機１を矢印Ｙ方向に９０度首振り回動させて正面から見た外観の構成を表しており、図１４（Ｂ）は、携帯電話機１を矢印Ｙ方向に９０度首振り回動させて側面から見た外観の構成を表している。
【００８１】
また、図１５に示されるように、図１４の携帯電話機１の状態から矢印Ｙ方向に約１８０度首振り回動させたのち矢印Ｘ方向に回動させ、メインディスプレイ１７が外向きになる状態で第１の筐体１２と第２の筐体１３を重ね合わせることも可能である。図１５の携帯電話機１の状態をいわゆるターンオーバースタイルという。なお、図１５（Ａ）は、携帯電話機１をターンオーバースタイルにしたときの正面から見た外観の構成を表しており、図１５（Ｂ）は、携帯電話機１をターンオーバースタイルにしたときの側面から見た外観の構成を表している。そして、図１や図２の状態ではメインディスプレイ１７は内部に隠された状態となっており、一方、図１５のターンオーバースタイルの状態ではメインディスプレイ１７は外部に露出した状態となっている。予約視聴録画処理時においてメインディスプレイ１７は外部に露出した状態となっている場合、ユーザは予約視聴録画が開始されることに気が付いており、放送波の視聴を所望していると推測することができる。そこで、携帯電話機１の筐体の状態が、メインディスプレイ１７は外部に露出した状態となっている場合には、メインディスプレイ１７は内部に隠れた状態となっている場合に比べて、予約視聴録画処理時に用いられる予約視聴録画用音量値を大きく設定しておき、この音量値を用いてスピーカ５０から音声を出力するようにしてもよい。以下、本発明の第３実施形態について説明する。
【００８２】
［第３実施形態］
図１６は、本発明の第３実施形態における、図３の制御部４１により実行することができる機能的な構成を表している。なお、図４の構成と対応するものについては、同一の符号を付しており、その説明は繰り返しになるので省略する。
【００８３】
筐体状態判定部５８は、磁気センサ１９ａ乃至１９ｄを用いて、携帯電話機１の状態がメインディスプレイ１７は外部に露出した状態であるか、あるいは、メインディスプレイ１７は内部に隠された状態であるかを判定し、その判定結果を視聴録画処理部５４に供給する。
【００８４】
次に、図１７のフローチャートを参照して、図１６の携帯電話機１における予約視聴録画処理について説明する。なお、図１７のステップＳ７１乃至Ｓ７４、およびステップＳ７８の処理は、図５のステップＳ１乃至Ｓ４、およびステップＳ６の処理と基本的には同様であり、その説明は繰り返しになるので省略する。
【００８５】
ステップＳ７４において視聴録画起動要因判定部５３が視聴録画処理部５４の起動要因が予約視聴録画起動部５２による起動に起因すると判定した場合、制御部４１の筐体状態判定部５８はステップＳ７５で、メインディスプレイ１７が外部に露出した状態であるか、あるいは、メインディスプレイ１７は内部に隠れた状態であるか否かを判定し、その判定結果を視聴録画処理部５４に供給する。
【００８６】
ステップＳ７５において筐体状態判定部５８がメインディスプレイ１７が外部に露出した状態であると判定した場合、視聴録画処理部５４はステップＳ７６で、予約視聴録画起動部５２から供給された起動指示信号に従い、予め設定された予約視聴時刻または予約録画時刻に視聴録画処理を起動するとともに、視聴録画起動要因判定部５３からの判定結果に従い、記憶部４２または制御部４１の図示せぬＲＯＭに記憶されている、予め設定された予約視聴録画用音量値を用いて、地上波ディジタルワンセグ受信部４７にて受信された放送波の視聴録画処理をメインディスプレイ１７およびスピーカ５０を介して行う。このとき、メインディスプレイ１７が外部に露出した状態であることから、ユーザは予約視聴録画が開始されることに気が付いており、放送波の視聴を所望していると推測し、視聴録画処理部５４は、予め設定された予約視聴録画用音量値のうちの、メインディスプレイ１７が外部に露出した状態での予約視聴録画用音量値（例えば２１段階中の２０段階目の音量値など）を用いて、地上波ディジタルワンセグ受信部４７にて受信された放送波の視聴録画処理をメインディスプレイ１７およびスピーカ５０を介して行う。
【００８７】
一方、ステップＳ７５において筐体状態判定部５８がメインディスプレイ１７が外部に露出した状態ではないと判定した場合（すなわち、筐体状態判定部５８がメインディスプレイ１７が内部に隠れた状態であると判定した場合）、視聴録画処理部５４はステップＳ７７で、予約視聴録画起動部５２から供給された起動指示信号に従い、予め設定された予約視聴時刻または予約録画時刻に視聴録画処理を起動するとともに、視聴録画起動要因判定部５３からの判定結果に従い、記憶部４２または制御部４１の図示せぬＲＯＭに記憶されている、予め設定された予約視聴録画用音量値を用いて、地上波ディジタルワンセグ受信部４７にて受信された放送波の視聴録画処理をメインディスプレイ１７およびスピーカ５０を介して行う。このとき、メインディスプレイ１７が内部に隠れた状態であることから、ユーザは予約視聴録画が開始されることに気が付いていないと推測し、視聴録画処理部５４は、予め設定された予約視聴録画用音量値のうちの、メインディスプレイ１７が内部に隠れた状態での予約視聴録画用音量値（例えば２１段階中の１５段階目の音量値など）を用いて、地上波ディジタルワンセグ受信部４７にて受信された放送波の視聴録画処理をメインディスプレイ１７およびスピーカ５０を介して行う。
【００８８】
これにより、ユーザが放送番組全体または一部について見逃してしまうことを防止することができ、地上波ディジタル放送波の予約起動がなされたことをユーザに気が付かせるとともに、予約起動による放送番組の視聴漏れを防止することができるだけでなく、ユーザが現在視聴したいかどうかを推定しつつ、それぞれの携帯電話機１の状態に応じて好適な音量値で音声をスピーカ５０から出力することができる。その結果、地上波ディジタルワンセグ放送波などを利用する場合における利便性をより向上させることができる。
【００８９】
なお、図１８のフローチャートに示されるように、ステップＳ８５において筐体状態判定部５８が携帯電話機１に設けられたスピーカ５０の放音方向が外部に向いている状態であると判定した場合、視聴録画処理部５４はステップＳ８６で、スピーカ５０の放音方向が外部に向いている状態であり、ユーザは小さい音量であっても予約視聴録画が開始されることに気が付くことが可能であることから、視聴録画処理部５４は、予め設定された予約視聴録画用音量値のうちの、スピーカ５０の放音方向が外部に向いている状態での予約視聴録画用音量値（例えば２１段階中の１３段階目の音量値など）を用いて、地上波ディジタルワンセグ受信部４７にて受信された放送波の視聴録画処理をメインディスプレイ１７およびスピーカ５０を介して行う。
【００９０】
一方、ステップＳ８５において筐体状態判定部５８が携帯電話機１に設けられたスピーカ５０の放音方向が外部に向いている状態ではないと判定した場合（すなわち、筐体状態判定部５８が携帯電話機１に設けられたスピーカ５０の放音方向が内部に向いている状態であると判定した場合）、視聴録画処理部５４はステップＳ８７で、スピーカ５０の放音方向が内部に向いている状態であり、ユーザは小さい音量では予約視聴録画が開始されることに気が付くことが難しいことから、視聴録画処理部５４は、予め設定された予約視聴録画用音量値のうちの、スピーカ５０の放音方向が内部に向いている状態での予約視聴録画用音量値（例えば２１段階中の１９段階目の音量値など）を用いて、地上波ディジタルワンセグ受信部４７にて受信された放送波の視聴録画処理をメインディスプレイ１７およびスピーカ５０を介して行う。
【００９１】
これにより、スピーカ５０の放音方向によらずに、ユーザが放送番組全体または一部について見逃してしまうことを防止することができ、地上波ディジタル放送波の予約起動がなされたことをユーザに気が付かせるとともに、予約起動による放送番組の視聴漏れを防止することができる。
【００９２】
なお、携帯電話機１にて予約視聴録画処理を行う際に、ユーザによりすでにマナーモード（サイレントモードやアラームモード、運転中モードなど）に設定されている場合には、ユーザはが敢えて周囲の環境を考慮してサイレンモードに設定していると推測し、予約視聴録画処理に伴ってマナーモード一時解除確認画面をメインディスプレイ１７に表示せずに、その代わりに、ユーザが予約視聴録画処理の開始に気が付くように、スピーカ５０から音量値を０にした上でメインディスプレイ１７に画像のみ表示するようにしてもよい。このとき、ユーザにより操作キー１４のうちの地上波ディジタルワンセグ受信部４７を起動させるための起動ボタンなどが押下されることで、地上波ディジタルワンセグ放送波の受信を開始するとの指示がなされた場合には、たとえマナーモードであっても、ユーザは予約視聴録画が開始されることに気が付いているが、放送波の視聴を所望していると推測することができることから、マナーモード一時解除確認画面をメインディスプレイ１７に表示させた上で、メインディスプレイ１７に画像を表示するとともに、スピーカ５０から音声を出力するようにする。以下、この方法を用いた予約視聴録画処理について説明する。なお、この方法を用いた予約視聴録画処理は、本発明の第１実施形態に示される図４の携帯電話機１を用いて実現することができる。
【００９３】
図１９のフローチャートに示されるように、ステップＳ９４において視聴録画起動要因判定部５３が視聴録画処理部５４の起動要因が予約視聴録画起動部５２による起動に起因すると判定した場合、視聴録画処理部５４はステップＳ９５で、記憶部４２に記憶されている設定データを読み出し、読み出された設定データに基づいて、携帯電話機１にてマナーモードに設定されているか否かを判定する。ステップＳ９５において視聴録画処理部５４が携帯電話機１にてマナーモードに設定されていないと判定した場合、処理はステップＳ９６に進む。一方、ステップＳ９５において視聴録画処理部５４が携帯電話機１にてマナーモードに設定されていると判定した場合、視聴録画処理部５４はステップＳ９７で、ユーザは敢えて周囲の環境を考慮してサイレンモードに設定していると推測するとともに、ユーザが予約視聴録画処理の開始に気が付くように、予約視聴録画用音量値を０にして、地上波ディジタルワンセグ受信部４７にて受信された放送波の視聴録画処理をメインディスプレイ１７およびスピーカ５０を介して行う。
【００９４】
また、ステップＳ９４において視聴録画起動要因判定部５３が視聴録画処理部５４の起動要因が予約視聴録画起動部５２による起動に起因しないと判定した場合、視聴録画処理部５４はステップＳ９８で、記憶部４２から読み出された設定データに基づいて、携帯電話機１にてマナーモードに設定されているか否かを判定し、ステップＳ９８において視聴録画処理部５４が携帯電話機１にてマナーモードに設定されていないと判定した場合、処理はステップＳ１００に進む。一方、ステップＳ９８において視聴録画処理部５４が携帯電話機１にてマナーモードに設定されていると判定した場合、視聴録画処理部５４はステップＳ９９で、たとえマナーモードであっても、ユーザは予約視聴録画が開始されることに気が付いているが、放送波の視聴を所望していると推測することができることから、メインディスプレイ１７を制御し、マナーモードを一時的に解除するためのマナーモード一時解除確認画面を表示させる。そして、マナーモード一時解除確認画面上にて「Ｙｅｓ」の指示がなされると、処理はステップＳ１００に進み、視聴録画処理部５４は、視聴録画処理部５４による直前の視聴録画処理にて用いられた音量値を用いて、地上波ディジタルワンセグ受信部４７にて受信された放送波の視聴録画処理をメインディスプレイ１７およびスピーカ５０を介して行う。
【００９５】
これにより、マナーモードに設定されている場合であっても、ユーザが放送番組全体または一部について見逃してしまうことを防止することができ、地上波ディジタル放送波の予約起動がなされたことをユーザに気が付かせるとともに、予約起動による放送番組の視聴漏れを防止することができる。
【００９６】
なお、本発明の実施形態においては、本発明を地上波ディジタルワンセグ放送波を予約視聴録画する際に適用するようにしたが、このような場合に限られず、例えば地上波ディジタル放送波を録画する際や地上波ディジタル３セグメントラジオ放送波を録音する際など他の方式の記録の際に適用することができる。
【００９７】
また、本発明は、２軸回転式の携帯電話機１に限られず、スライド式の携帯電話機や、フリップ式やストレート式の種々の携帯電話機１にも適用することができる。
【００９８】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００９９】
また、本発明の実施形態において説明した一連の処理は、ソフトウェアにより実行させることもできるが、ハードウェアにより実行させることもできる。
【０１００】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【０１０１】
【図１】本発明に係る情報処理装置に適用可能な携帯電話機の外観の構成を示す図。
【図２】本発明に係る情報処理装置に適用可能な携帯電話機の他の外観の構成を示す図。
【図３】本発明に係る情報処理装置に適用可能な携帯電話機の内部の構成を示すブロック図。
【図４】本発明の第１実施形態における、図３の制御部により実行することができる機能的な構成を示すブロック図。
【図５】図４の携帯電話機における予約視聴録画処理を説明するためのフローチャート。
【図６】図４の携帯電話機における他の予約視聴録画処理を説明するためのフローチャート。
【図７】図４の携帯電話機における予約視聴録画用音量値設定処理を説明するためのフローチャート。
【図８】本発明の第２実施形態における、図３の制御部により実行することができる機能的な構成を示すブロック図。
【図９】図８の携帯電話機における予約視聴録画処理を説明するためのフローチャート。
【図１０】図８の記憶部に記憶されている予約視聴録画用音量値決定テーブルの構成例を示す図。
【図１１】図８の携帯電話機における他の予約視聴録画処理を説明するためのフローチャート。
【図１２】図４の携帯電話機における他の予約視聴録画処理を説明するためのフローチャート。
【図１３】予約視聴録画処理時における、予約視聴録画用音量値の段階的な上昇を説明するための説明図。
【図１４】本発明に係る情報処理装置に適用可能な携帯電話機の他の外観の構成を示す図。
【図１５】本発明に係る情報処理装置に適用可能な携帯電話機の他の外観の構成を示す図。
【図１６】本発明の第３実施形態における、図３の制御部により実行することができる機能的な構成を示すブロック図。
【図１７】図１６の携帯電話機における予約視聴録画処理を説明するためのフローチャート。
【図１８】図１６の携帯電話機における他の予約視聴録画処理を説明するためのフローチャート。
【図１９】図４の携帯電話機における他の予約視聴録画処理を説明するためのフローチャート。
【符号の説明】
【０１０２】
１…携帯電話機、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、２２…静電タッチパッド、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…地上波ディジタルワンセグ受信部、４８…地デジ処理部、４９…時計回路、５０…スピーカ、５１…予約視聴録画起動要求生成部、５２…予約視聴録画起動部、５３…視聴録画起動要因判定部、５４…視聴録画処理部、５５…操作入力制御部、５６…予約視聴録画用音量値設定部、５７…予約視聴録画用音量値決定部、５８…筐体状態判定部。
【図１】
0005056388.tif 000002
【図２】
0005056388.tif 000003
【図３】
0005056388.tif 000004
【図４】
0005056388.tif 000005
【図５】
0005056388.tif 000006
【図６】
0005056388.tif 000007
【図７】
0005056388.tif 000008
【図８】
0005056388.tif 000009
【図９】
0005056388.tif 000010
【図１０】
0005056388.tif 000011
【図１１】
0005056388.tif 000012
【図１２】
0005056388.tif 000013
【図１３】
0005056388.tif 000014
【図１４】
0005056388.tif 000015
【図１５】
0005056388.tif 000016
【図１６】
0005056388.tif 000017
【図１７】
0005056388.tif 000018
【図１８】
0005056388.tif 000019
【図１９】
0005056388.tif 000020